(57)【要約】【課題】両端部が扉本体から突出するほどの大型の緩衝部材を、見栄えを低下させることなく取付けた緩衝扉構造を提供する。【解決手段】回動式の扉１に緩衝部材４を取付けた緩衝扉構造であって、緩衝部材４を、その基端部４１が扉本体２の表側から突出し、その先端部４２が扉本体２の裏側から突出する長さとし、基端部４１を、扉本体２の表側に取付けられた把手３の内部に侵入位置さる。また緩衝部材４の基端部４１を、把手３に螺入組付けする。さらに、緩衝部材４を、基端部４１側を構成するシリンダー４ａの内部に、先端部４２側を構成するピストン４ｂをバネ４ｃを介して内装して形成する。【選択図】      図１
2006009457.tif 000002
【特許請求の範囲】
【請求項１】
回動式の扉に緩衝部材を取付け、前記扉を閉じた際に前記緩衝部材の先端を扉受体に弾接させ、その際の衝撃を緩和させる緩衝扉構造であって、
前記緩衝部材を、その基端部が前記扉の扉本体の表側から突出し、かつその先端部が前記扉本体の裏側から突出する長さとし、
前記基端部を、前記扉本体の表側に取付けられた把手の内部に侵入位置させてなることを特徴とする緩衝扉構造。
【請求項２】
前記緩衝部材の基端部を、前記把手に螺入組付けしてなることを特徴とする請求項１に記載の緩衝扉構造。
【請求項３】
回動式の扉に緩衝部材を取付け、前記扉を閉じた際に前記緩衝部材の先端を扉受体に弾接させ、その際の衝撃を緩和させる緩衝扉構造であって、
前記緩衝部材を、その先端部が前記扉本体の裏側から突出する長さとし、かつその基端部を、前記扉本体の表側に取付けられた把手に別体的又は一体的に組み付けてなることを特徴とする緩衝扉構造。
【請求項４】
前記緩衝部材を、前記基端部側を構成するシリンダーの内部に、前記先端部側を構成するピストンをバネを介して内装して形成してなることを特徴とする請求項１乃至３のうちいずれか一つに記載の緩衝扉構造。
【発明の詳細な説明】
【技術分野】
【０００１】
本発明は、回動式の扉に、閉時における衝撃を緩和するための緩衝部材を設けた緩衝扉構造に関するものである。
【背景技術】
【０００２】
従来、建物の出入口や家具、壁内収納（ニッチ）等の開口部に取付けられる回動式の扉において、当該扉を閉じた際に、この扉が扉枠に衝突したときの衝撃を緩和するために、当該扉に緩衝部材を設けたものがある（例えば、特許文献１，２参照）。
【特許文献１】特開２００３−１８４９３０号公報
【特許文献２】特開昭５４−１５５６４号公報
【０００３】
これらの公報に記載のものは、緩衝部材を平板状である扉本体に取付けており、特許文献１および２に記載のように、扉の見栄え等を考慮してその長さを扉本体の肉厚程度に短く設定し小型化を図っている。
また、この緩衝部材は、バネを使用したピストン構造（特許文献１）や、油圧機構を利用した構造（特許文献２）といった比較的複雑な構造が必要とされている。
【発明の開示】
【発明が解決しようとする課題】
【０００４】
しかしながら、バネ等を利用した比較的複雑な構造の緩衝部材を小型化することは、例えば、小さいバネ等を使用する必要があるので充分な緩衝機能を得ることができ難い。また、それだけ高い精度が要求されるため製造が厄介であり、コストが嵩む。
従って、両端部が扉本体から突出するほど大型でコストの低廉な緩衝部材を、見栄えの低下を招くことなく設けることができれば、緩衝機能を高め、かつ、扉全体のコストを抑えることができるので好ましい。
【０００５】
そこで、本発明の目的とするところは、両端部が扉本体から突出するほど大型の緩衝部材を、見栄えを低下させることなく取付けた緩衝扉構造を提供することにある。
【課題を解決するための手段】
【０００６】
上記目的を達成するために、本発明の請求項１に記載の発明は、回動式の扉（１）に緩衝部材（４）を取付け、前記扉（１）を閉じた際に前記緩衝部材（４）の先端を扉受体（５）に弾接させ、その際の衝撃を緩和させる緩衝扉構造であって、前記緩衝部材（４）を、その基端部（４１）が前記扉（１）の扉本体（２）の表側から突出し、かつその先端部（４２）が前記扉本体（２）の裏側から突出する長さとし、前記基端部（４１）を、前記扉本体（２）の表側に取付けられた把手（３）の内部に侵入位置させてなることを特徴とする。
【０００７】
また、請求項２に記載の発明は、前記緩衝部材（４）の基端部（４１）を、前記把手（３）に螺入組付けしてなることを特徴とする。
【０００８】
さらに、請求項３に記載の発明は、回動式の扉（１）に緩衝部材（４）を取付け、前記扉（１）を閉じた際に前記緩衝部材（４）の先端を扉受体（５）に弾接させ、その際の衝撃を緩和させる緩衝扉構造であって、前記緩衝部材（４）を、その先端部（４２）が前記扉本体（２）の裏側から突出する長さとし、かつその基端部（４１）を、前記扉本体（２）の表側に取付けられた把手（３）に別体的又は一体的に組み付けてなることを特徴とする。
【０００９】
また、請求項４に記載の発明は、前記緩衝部材（４）を、その基端部（４１）側を構成するシリンダー（４ａ）の内部に、先端部（４２）側を構成するピストン（４ｂ）をバネ（４ｃ）を介して内装して形成してなることを特徴とする。
【００１０】
なお、カッコ内の記号は図面および後述する発明を実施するための最良の形態に記載された対応要素または対応事項を示す。
【発明の効果】
【００１１】
本発明の請求項１に記載の緩衝扉構造によれば、緩衝部材を、緩衝部材の基端部が扉の扉本体の表側から突出し、かつ前記緩衝部材の基端部とは逆側に位置する同じく緩衝部材の先端部が前記扉本体の裏側から突出する長さとし、前記緩衝部材の基端部を、前記扉本体の表側に取付けられた把手の内部に侵入位置させるので、扉本体の厚みよりも長さの長い、大型の緩衝部材を、見栄えを低下させることなく取付けることができる。
また、緩衝部材を大型化したことにより、それだけ大きなバネ等の部材を使用することができるので、緩衝機能を高めることができる。さらに、大型化した分、高い精度が要求されないので製造が容易でコストを削減することができ、扉全体のコストを抑えることができる。
【００１２】
また、本発明の請求項２に記載の発明によれば、請求項１に記載の発明の作用効果に加えて、緩衝部材の基端部を把手に螺入組付けするので、当該組付けに工具を使用する必要がない。
従って、組付け作業が容易となる。
【００１３】
さらに、本発明の請求項３に記載の発明によれば、緩衝部材を、緩衝部材の先端部が前記扉本体の裏側から突出する長さとし、かつ前記緩衝部材の基端部を、前記扉本体の表側に取付けられた把手に別体的又は一体的に組み付けてなるので、扉本体の厚みよりも長さの長い、大型の緩衝部材を、見栄えを低下させることなく取付けることができる。
また、緩衝部材を大型化したことにより、それだけ大きなバネ等の部材を使用することができるので、緩衝機能を高めることができる。さらに、大型化した分、高い精度が要求されないので製造が容易でコストを削減することができ、扉全体のコストを抑えることができる。
【００１４】
また、請求項４に記載の発明によれば、請求項１乃至３に記載の発明の作用効果に加えて、緩衝部材を、その緩衝部材の基端部側を構成するシリンダーの内部に、前記緩衝部材の先端部側を構成するピストンをバネを介して内装して形成しているので、バネの弾力によって優れた緩衝効果を得ることができる。
従って、扉を閉じた際の衝撃を効果的に緩和することができる。
【００１５】
なお、請求項１乃至４に記載の発明でいう、扉とは、建物に設けられたドアだけでなく、小物入れ用の扉など、家具等あらゆる物の扉が含まれる。また、扉受体には、扉枠，戸当たり，収納ボックスの側板、天地板など扉を受けるものが含まれることを意味する。
【発明を実施するための最良の形態】
【００１６】
図１乃至図５を参照して、本発明の実施形態に係る緩衝扉構造について説明する。図１は緩衝扉構造を建物の出入口に取付けた状態を示す斜視図である。図２は当該緩衝扉構造の表側の斜視図であり、図３はその要部断面図である。また、図４は緩衝部材と把手の組付構造を示す分解斜視図であり、図５は緩衝部材の内部構造を示す断面図である。
【００１７】
本実施形態に係る緩衝扉構造は、建物の出入口に設けられる回動式の扉１に緩衝部材４を取付けた緩衝扉構造であって、扉本体２、把手３および緩衝部材４を備え、扉１を閉じた際に緩衝部材４の先端を扉枠５に弾接させ、その際の衝撃を緩和するものである。
【００１８】
扉本体２は平板状であり、その一方側端部が扉枠５にヒンジ８で回動自在に連結される。緩衝部材４は、その（緩衝部材４の）基端部４１が扉本体２の表側から突出し、その（緩衝部材４の）先端部４２が扉本体２の裏側から突出する長さを有している。すなわち、緩衝部材４の長さは、扉本体２の板幅よりも長い。そして、緩衝部材４の基端部４１を、扉本体２の表側に取付けられた把手３の内部に侵入位置させて取付けられる。
【００１９】
この緩衝部材４は、その両端部が扉本体２の両側から突出する長さを有するものの、その基端部４１が把手３の内部に侵入位置するので、外から視覚されず、よって見栄えの低下を招かない。
また、こうした大型の緩衝部材４は小型の緩衝部材４と比較して高い精度が要求されないので廉価に製造することができ、よって、扉構造全体のコストを抑えることができる。
【００２０】
また、本実施形態に係る緩衝扉構造は、その緩衝部材４の基端部４１の外周面に外ネジ６を形成すると共に、把手３の組付筒部３ａの内周面に内ネジ７を形成し、両者を螺合することによって基端部４１を把手３の内部に侵入位置させている。
従って、緩衝部材４を把手３に工具を使用しないで組付けることができ、組付け作業が容易となる。
【００２１】
なお、緩衝部材４と把手３の組付けは螺合に限定されるものではなく、ボルトとナットなどの一般的な締結手段によって行うことができる。
さらに、本実施形態では、緩衝部材４を、基端部４１側を構成する円筒状のシリンダー４ａの内部に、先端部４２側を構成する丸棒状のピストン４ｂを渦巻きバネ４ｃを介して内装し形成している。
従って、扉１を閉じた際に、ピストン４ｂの先端が扉枠５に弾接し、その際の衝撃を効果的に緩和することができる。
【００２２】
なお、緩衝部材４の構成は、本実施形態のものに限定されるものではなく、油圧機構を利用したものなど、その他の構成のものを使用することができる。
また、本発明に係る緩衝扉構造は建物の扉のみでなく、家具等あらゆる物の扉として使用することができる。
【００２３】
また、本実施形態では、緩衝部材４の基端部４１を、把手３の内部に侵入位置させたが、特に内部に侵入させることなく、緩衝部材４の基端部４１を把手３に組み付けるようにしてもよい。その際、緩衝部材４と把手３とは別体的（別体型）にしてもよいし、一体的（一体型）に成形したものであってもよい。
【図面の簡単な説明】
【００２４】
【図１】本発明の実施形態に係る緩衝扉構造を建物の出入口に取付けた状態を示す斜視図である。
【図２】図１に示す緩衝扉構造の表側の斜視図である。
【図３】図１に示す緩衝扉構造の要部断面図である。
【図４】図１に示す緩衝扉構造における緩衝部材と把手の組付構造を示す分解斜視図である。
【図５】図１に示す緩衝扉構造における緩衝部材の内部構造を示す断面図である。
【符号の説明】
【００２５】
１      扉
２      扉本体
３      把手
３ａ    組付筒部
４      緩衝部材
４ａ    シリンダー
４ｂ    ピストン
４ｃ    バネ
５      扉枠
６      外ネジ
７      内ネジ
８      ヒンジ
４１      基端部
４２      先端部
【図１】
2006009457.tif 000003
【図２】
2006009457.tif 000004
【図３】
2006009457.tif 000005
【図４】
2006009457.tif 000006
【図５】
2006009457.tif 000007